(57)【要約】【課題】操作部材を衛生洗浄装置の外観に対応させて設けることができる衛生洗浄装置を提供する。【解決手段】人体の局部に向けて水を吐出するノズルと、水を加熱するヒータと、内部の水を排出するための弁体と、を有する熱交換器と、前記熱交換器が載置されるケースプレートと、前記弁体を押圧するための押圧部材と、前記ケースプレートの外に配置され、前記押圧部材と別体で構成され前記押圧部材を操作するための操作部材と、を有する操作レバーと、を備える。【選択図】図１
2018031200.tif 000002
【特許請求の範囲】
【請求項１】
人体の局部に向けて水を吐出するノズルと、
前記ノズルへ供給される水を加熱するヒータと、内部の水を排出するための弁体と、を有する熱交換器と、
前記熱交換器が載置されるケースプレートと、
前記弁体を押圧するための押圧部材と、前記ケースプレートの外に配置され、前記押圧部材と別体で構成され前記押圧部材を操作するための操作部材と、を有する操作レバーと、
を備えた衛生洗浄装置。
【請求項２】
前記押圧部材の一端は、前記操作部材と連結され、
前記弁体は、前記押圧部材の前記一端と反対の他端側で押圧され、
前記押圧部材の下面には、第１凹部が形成され、
前記第１凹部により、前記第１凹部よりも前記一端側の前記押圧部材の下面と、前記第１凹部よりも前記他端側の前記押圧部材の下面と、が分離された請求項１記載の衛生洗浄装置。
【請求項３】
前記押圧部材の一端は、前記操作部材と連結され、
前記弁体は、前記押圧部材の前記一端と反対の他端側で押圧され、
前記押圧部材の下面には、第２凹部が形成され、
前記第２凹部により、前記第２凹部よりも前記一端側の前記押圧部材の下面と、前記第２凹部よりも前記他端側の前記押圧部材の下面と、が分離され、
前記ケースプレートは、上方に向けて突出した凸部を有し、
前記凸部の少なくとも一部は、前記第２凹部内に配置される請求項１または２に記載の衛生洗浄装置。
【請求項４】
前記押圧部材は、前記他端側に、前記弁体を押圧する当接部を有し、
前記当接部は、前記ケースプレートに支持されている請求項１〜３のいずれか１つに記載の衛生洗浄装置。
【請求項５】
前記押圧部材は、
前記弁体を押圧する当接部と、
前記当接部に接して設けられたリブと、
を有し、
前記リブは、前記弁体を前記可動方向に投影した範囲の一部と、前記範囲の下方と、に設けられ、
前記当接部は、前記弁体と前記リブとの間に位置し、前記リブによって支持される請求項１〜４のいずれか１つに記載の衛生洗浄装置。
【請求項６】
一対のガイド部をさらに備え、
前記押圧部材の一部は、前記ガイド部同士の間を摺動する請求項１〜５のいずれか１つに記載の衛生洗浄装置。
【発明の詳細な説明】
【技術分野】
【０００１】
本発明の態様は、一般的に、衛生洗浄装置に関する。
【背景技術】
【０００２】
便器に付設され、人体の局部を洗浄する機能を備えた衛生洗浄装置がある。このような衛生洗浄装置には、洗浄水を加熱する熱交換器が設けられる。熱交換器は、内部に溜まった水の凍結防止や、長期間使用しない場合の水の腐食防止、あるいは保守点検などのために、内部の水を抜く機構を備える。
【０００３】
例えば特許文献１に開示された衛生洗浄装置では、使用者が、衛生洗浄装置の外部から操作レバーの操作部を引くことで、熱交換器の弁体が押圧部によって押圧され、水抜きが行われる。
【先行技術文献】
【特許文献】
【０００４】
【特許文献１】特開２００２−２１１５７号公報
【発明の概要】
【発明が解決しようとする課題】
【０００５】
現在、衛生洗浄装置においては、外観面の多様性がもとめられている。
特許文献１に開示された操作レバーは、押圧部と、使用者が操作する操作部と、が一体に構成されている。このため、外部に露出した操作部の外観を、各衛生洗浄装置の外観に対応させる場合、外観に対応させた操作部を有する操作レバー全体を、それぞれの衛生洗浄装置に対して用意する必要があった。
本発明は、かかる課題の認識に基づいてなされたものであり、操作部材を衛生洗浄装置の外観に対応させて設けることができる衛生洗浄装置を提供することを目的とする。
【課題を解決するための手段】
【０００６】
第１の発明は、人体の局部に向けて水を吐出するノズルと、水を加熱するヒータと、内部の水を排出するための弁体と、を有する熱交換器と、前記熱交換器が載置されるケースプレートと、前記弁体を押圧するための押圧部材と、前記ケースプレートの外に配置され、前記押圧部材と別体で構成され前記押圧部材を操作するための操作部材と、を有する操作レバーと、を備えた衛生洗浄装置である。
【０００７】
この衛生洗浄装置によれば、押圧部材と操作部材とが別体で構成されている。従って、衛生洗浄装置の外観に対応させた操作部材を、押圧部材と組み合わせることで、操作レバーの操作部材の外観を、衛生洗浄装置の外観に対応させることができる。
【０００８】
第２の発明は、第１の発明において、前記押圧部材の一端は、前記操作部材と連結され、前記弁体は、前記押圧部材の前記一端と反対の他端側で押圧され、前記押圧部材の下面には第１凹部が形成され、前記第１凹部により、前記第１凹部よりも前記一端側の前記押圧部材の下面と、前記第１凹部よりも前記他端側の前記押圧部材の下面と、が分離された衛生洗浄装置である。
【０００９】
この衛生洗浄装置によれば、弁体から流れ出た水が、押圧部材の下面を伝って操作部材に流れ、衛生洗浄装置から漏れ出ることを抑制できる。
【００１０】
第３の発明は、第１または第２の発明において、前記押圧部材の一端は、前記操作部材と連結され、前記弁体は、前記押圧部材の前記一端と反対の他端側で押圧され、前記押圧部材の下面には、第２凹部が形成され、前記第２凹部により、前記第２凹部よりも前記一端側の前記押圧部材の下面と、前記第２凹部よりも前記他端側の前記押圧部材の下面と、が分離され、前記ケースプレートは、上方に向けて突出した凸部を有し、前記凸部の少なくとも一部は、前記第２凹部内に配置される衛生洗浄装置である。
【００１１】
この衛生洗浄装置によれば、ケースプレート上を流れる水が、凸部によって、凹部よりも操作部材側に流れることを抑制できるとともに、押圧部材の下面を操作部材に向かって水が流れた場合でも、凹部によってその流れを遮ることができる。このため、衛生洗浄装置内の水が、押圧部材の下面を伝って操作部材に流れ、衛生洗浄装置から漏れ出ることを抑制できる。
【００１２】
第４の発明は、第１〜第３のいずれか１つの発明において、前記押圧部材は、前記弁体を押圧する当接部を有し、前記当接部は、前記ケースプレートに支持されている衛生洗浄装置である。
【００１３】
この衛生洗浄装置によれば、弁体を押圧する当接部が、ケースプレートに支持されている。従って、操作レバーによって、より確実に熱交換器の水抜きを行うことができる。
【００１４】
第５の発明は、第１〜第４のいずれか１つの発明において、前記押圧部材は、前記弁体を押圧する当接部と、前記当接部に接して設けられたリブと、を有し、前記リブは、前記弁体を前記可動方向に投影した範囲の一部と、前記範囲の下方と、に設けられ、前記当接部は、前記弁体と前記リブとの間に位置し、前記リブによって支持される衛生洗浄装置である。
【００１５】
この衛生洗浄装置によれば、当接部が弁体から反力を受けた際に、当接部がリブによって支持される。このため、当接部が反力によって傾き、当接部によって弁体を押圧できなくなることを抑制できる。
【００１６】
第６の発明は、第１〜第５のいずれか１つの発明において、一対のガイド部をさらに備え、前記押圧部材の一部は、前記ガイド部同士の間を摺動する衛生洗浄装置である。
【００１７】
この衛生洗浄装置によれば、押圧部材が、所定の位置からずれることを抑制でき、より確実に、押圧部材によって弁体を押圧し、熱交換器の水抜きを行うことができる。
【発明の効果】
【００１８】
本発明の態様によれば、操作部材を衛生洗浄装置の外観に対応させて設けることができる衛生洗浄装置が提供される。
【図面の簡単な説明】
【００１９】
【図１】実施形態に係る衛生洗浄装置を備えたトイレ装置を表す斜視図である。
【図２】実施形態に係る衛生洗浄装置内部の一部を表す平面図である。
【図３】図２のＡ−Ａ’線における断面図である。
【図４】実施形態に係る衛生洗浄装置の熱交換器および操作レバーを表す斜視図である。
【図５】図２のＢ−Ｂ’線における断面図である。
【発明を実施するための形態】
【００２０】
以下、本発明の実施形態について図面を参照しつつ説明する。なお、各図面中、同様の構成要素には同一の符号を付して詳細な説明は適宜省略する。  
図１は、実施形態に係る衛生洗浄装置を備えたトイレ装置を表す斜視図である。
図１に表すように、トイレ装置は、洋式腰掛便器（以下説明の便宜上、単に「便器」と称する）６と、その上に設けられた衛生洗浄装置１と、を備える。衛生洗浄装置１は、便座２と、便蓋３と、ケーシング４と、を有する。便座２と便蓋３とは、ケーシング４に対して開閉自在にそれぞれ軸支されている。
【００２１】
以下の実施形態の説明では、「上方」、「下方」、「前方」、「後方」、「右側方」、および「左側方」を用いるが、これらの方向は、図１に表わすように、便座２に座った使用者から見たものである。
【００２２】
ケーシング４は、便器後方の上面に載置されるケースプレート４ａと、ケースプレート４ａを覆うカバー４ｂと、により構成されている。なお、図１に表す例では、ケースプレート４ａがカバー４ｂによって覆われて隠れているため、ケースプレート４ａを破線で表している。
【００２３】
ケーシング４の内部には、便座２に座った使用者の「おしり」などを洗浄するノズル１０が内蔵されている。また、ケーシング４には、例えば、トイレ室への使用者の入室を検知する入室検知センサや、便座２の前方にいる使用者を検知する人体検知センサ、便座２への使用者の着座を検知する着座検知センサなどが設けられている。
【００２４】
使用者は、リモコンなどの操作部５を操作することで、ノズル１０を便器６のボウル６ａ内に進出させたり、ボウル６ａ内から後退させたりすることができる。なお、図１に表した衛生洗浄装置１では、ノズル１０がボウル６ａ内に進出した状態を表している。
【００２５】
ノズル１０は、先端に吐水口１０ａを有する。ノズル１０の吐水口１０ａからは、例えば、後述する熱交換器２０によって加熱された温水が吐出される。ノズル１０がボウル６ａ内に進出した状態で、吐水口１０ａから使用者の局部に向けて温水が吐水されることで、局部の洗浄が行われる。
【００２６】
また、ケーシング４には、便座２を温める「便座ヒータ」や、便座２に座った使用者の「おしり」などに向けて温風を吹き付けて乾燥させる「温風乾燥機能」、「脱臭ユニット」、「室内暖房ユニット」などが適宜設けられていてもよい。
【００２７】
図２〜図５を参照しつつ、衛生洗浄装置１内の構造について説明する。
図２は、実施形態に係る衛生洗浄装置内部の一部を表す平面図である。
図３は、図２のＡ−Ａ’線における断面図である。
図４は、実施形態に係る衛生洗浄装置の熱交換器および操作レバーを表す斜視図である。
図５は、図２のＢ−Ｂ’線における断面図である。
【００２８】
図２に表すように、衛生洗浄装置１は、衛生洗浄装置１内に取り込まれた水を加熱して温水を生成する熱交換器２０と、熱交換器２０を操作するための操作レバー３０と、を備える。熱交換器２０および操作レバー３０は、ケースプレート４ａの上に載置されている。
【００２９】
図３を参照しつつ、熱交換器２０について説明する。
熱交換器２０は、躯体２１、ヒータ２２、弁体２３、弁座２４、ばね受け部２５、およびパッキン２６を有する。
【００３０】
躯体２１およびヒータ２２は、円筒形を有し、ヒータ２２は躯体２１の内側に設けられている。躯体２１の内壁には螺旋状の溝が形成されており、この溝とヒータ２２の外壁とによって螺旋状の流路が形成されている。熱交換器２０に流れた水は、矢印Ａ１に表すように、左側方からヒータ２２の内側に流入し、ヒータ２２の右側方からヒータ２２の外側に流れ、躯体２１とヒータ２２との間の螺旋状の流路を流れる。この間に水がヒータ２２によって加熱され、温水が生成される。生成された温水は、矢印Ａ２に表すように、躯体２１に形成された流出口を通して熱交換器２０から流れ出る。
【００３１】
弁体２３、弁座２４、およびばね受け部２５は、躯体２１の右側方端部に設けられている。ばね受け部２５は、躯体２１の右側方に形成された開口に嵌め込まれている。弁座２４は、ばね受け部２５の右側方において、躯体２１の開口端の内周に沿って設けられている。弁体２３は、弁座２４の中心の開口に嵌め込まれている。
【００３２】
弁体２３、弁座２４、およびばね受け部２５によって囲われた空間は、ヒータ２２が設けられた水路と通じている。一方で、弁体２３とばね受け部２５との間には、不図示の付勢手段が設けられ、弁体２３は、右側方に付勢されている。付勢された状態において、弁体２３の外周は、パッキン２６を介して弁座２４に当接している。これにより、当該空間は、熱交換器外部の空間と分離されている。
【００３３】
弁体２３は、例えば、躯体２１およびヒータ２２の軸方向に可動である。弁体２３が左側方に向けて押圧されることで、弁体２３の外周が弁座２４と離間する。これにより熱交換器２０内の水が、弁体２３と弁座２４との隙間から流入した空気により置換され、水が熱交換器２０の外へ排出される。
【００３４】
次に、図４を参照しつつ、操作レバー３０について説明する。
操作レバー３０は、弁体２３を押圧するための押圧部材３１と、押圧部材３１を操作するための操作部材３２と、を備える。押圧部材３１と操作部材３２とは、別体で構成されている。
【００３５】
操作部材３２の一端（右端）は、押圧部材３１の一端（左端）と連結されている。具体的な一例として、押圧部材３１の左端には雄爪が形成され、操作部材３２の右端には雌爪が形成されている。これらの爪を嵌合させることで、押圧部材３１と操作部材３２とが連結されている。押圧部材３１の他端（右端）は、弁体２３の右側方に配置されている。すなわち、押圧部材３１の一部は、弁体２３の可動方向において、弁体２３と並んでいる。操作部材３２の他端（左端）は、使用者が操作できるように、ケースプレート４ａの外に配置される。
【００３６】
押圧部材３１は、ケースプレート４ａ上を摺動可能に構成されている。衛生洗浄装置１の使用者が、操作部材３２を左側方に向けて引っ張ることで、押圧部材３１が左側方に摺動し、押圧部材３１によって弁体２３が左側方に向けて押圧される。これにより、熱交換器２０の水抜きが行われる。
【００３７】
このように、本実施形態に係る衛生洗浄装置１では、弁体２３を押圧するための押圧部材３１と、押圧部材３１を操作するための操作部材３２と、が別体で構成されている。従って、衛生洗浄装置１の外観に対応させた操作部材３２を押圧部材３１と組み合わせることで、操作レバー３０のうち、衛生洗浄装置の外部に露出する操作部材の外観を衛生洗浄装置１の外観に対応させることができる。このため、個々の衛生洗浄装置の外観に対応させた操作レバー３０全体を用意する必要が無い。
【００３８】
また、本実施形態によれば、例えば、押圧部材３１をケースプレート４ａ上に配置し、ケーシング４の他の内部構成を組み立てた後に、カバー４ｂの外観に対応した操作部材３２を押圧部材３１に取り付け、カバー４ｂを取り付けることで、衛生洗浄装置の外観に対応した操作レバー３０を備える衛生洗浄装置を組み立てることができる。すなわち、操作レバー３０の一部である操作部材３２のみを、衛生洗浄装置の外観に対応させた固有部品とし、操作レバー３０の他の一部である押圧部材３１を、衛生洗浄装置の外観に拘わらない共通部品とすることができる。
【００３９】
続いて、図２〜図５を参照しつつ、押圧部材３１の具体的な構造について説明する。
図３に表すように、押圧部材３１は、当接部３１ａ、リブ３１ｂ、および延在部３１ｃを有する。当接部３１ａは、熱交換器２０の水抜き時に弁体２３に当接する。当接部３１ａは、例えば、弁体２３の可動方向に対して垂直な当接面を有する。リブ３１ｂは、当接部３１ａの右側方に設けられ、当接部３１ａに接している。リブ３１ｂの上部は、弁体２３を、弁体２３の可動方向に投影した範囲に設けられており、リブ３１ｂの下部は、当該範囲の下方に設けられ、ケースプレート４ａの上面に接している。延在部３１ｃは、押圧部材３１左端における操作部材３２との連結部と、押圧部材３１右端の当接部３１ａおよびリブ３１ｂと、の間において、これらの部分を繋ぐようにケースプレート４ａ上を延在している。
【００４０】
当接部３１ａによって弁体２３が左側方に押圧されると、当接部３１ａには右側方に向けた反力が生じる。また、当接部３１ａは、その下端において、延在部３１ｃの一端と繋がっている。すなわち、当接部３１ａにおいては、延在部３１ｃを介して当接部３１ａに力が加えられる点と、弁体２３から反力を受ける点と、が上下方向にずれている。この結果、延在部３１ｃが撓んだり、当接部３１ａが右側方に傾いたりすることで、当接部３１ａから弁体２３に十分な力が加えられず、水抜きを行えない可能性がある。
【００４１】
この点について、本実施形態に係る衛生洗浄装置１では、押圧部材３１がリブ３１ｂを有する。リブ３１ｂは、弁体２３を、弁体２３の可動方向に投影した範囲および当該投影範囲の下方に設けられている。当接部３１ａは、このリブ３１ｂと弁体２３との間に設けられ、リブ３１ｂによって支持されている。
このような構造によれば、当接部３１ａが弁体２３から反力を受けた際に、リブ３１ｂの下端がケースプレート４ａの上面に接し、当接部３１ａを右側方から支持する。言い換えれば、当接部３１ａがケースプレート４ａに支持されている。このため、当接部３１ａが傾くことを抑制でき、操作レバー３０によってより確実に熱交換器２０の水抜きを行うことが可能となる。
【００４２】
図４に表すように、押圧部材３１の延在部３１ｃの下面には、凹部Ｒ１（第１凹部）が形成されている。凹部Ｒ１は、凹部Ｒ１よりも右端側の押圧部材３１の下面と、凹部Ｒ１よりも左端側の押圧部材３１の下面と、を分離するように、延在部３１ｃの一方の側面から他方の側面に亘って形成されている。なお、ここでは、延在部３１ｃの側面とは、鉛直方向に沿う面であって、延在部３１ｃの各部が延びている方向に対して側方に位置する面を意味している。図４に表す例では、延在部３１ｃの一部が前後方向に延び、凹部Ｒ１は当該一部の右側面から左側面に亘って形成されている。凹部Ｒ１が、延在部３１ｃのうち左右方向に延びている部分に形成される場合は、凹部Ｒ１は、当該部分の後方側の側面から前方側の側面に亘って形成される。
【００４３】
弁体２３が押圧されると、熱交換器２０内の水は、弁体２３と弁座２４との隙間を通り、当接部３１ａを伝い、表面張力によって押圧部材３１下面とケースプレート４ａ上面との間を流れる。一方で、凹部Ｒ１が形成された部分では、押圧部材３１下面とケースプレート４ａ上面とが離間している。押圧部材３１とケースプレート４ａとの間の表面張力による水の流れは、凹部Ｒ１において止まるため、弁体２３から流れ出た水が、押圧部材３１の下面を伝って操作部材３２まで流れ、衛生洗浄装置１から漏れ出ることを抑制できる。
【００４４】
また、ケースプレート４ａ上面には、後方から前方、かつ左右側方から中央に向けて勾配が形成されている。従って、凹部Ｒ１まで流れた水は、ケースプレート４ａ上面に形成された勾配に沿って流れる。一例として、凹部Ｒ１まで流れた水は、ケースプレート４ａ上面の勾配に沿って図２の矢印Ａ３に表すように流れ、凹部Ｒ１の前方に位置する開口Ｃを通してボウル６ａに排出される。
【００４５】
また、上述した凹部Ｒ１は、熱交換器２０から排出された水だけでなく、他の部分でケースプレート４ａ上に流れ出た水が、ケースプレート４ａ上の勾配に沿って矢印Ａ３のように流れることができるよう構成されている。なお、凹部Ｒ１が形成される位置は、押圧部材３１の端部以外であれば、押圧部材３１の形状や開口Ｃの位置などに応じて適宜変更することが可能である。
【００４６】
押圧部材３１の下面には、さらに凹部Ｒ２（第２凹部）が形成されている。凹部Ｒ２は、凹部Ｒ１よりも左端側に形成され、押圧部材３１の左端近傍に位置している。凹部Ｒ２は、凹部Ｒ１と同様に、凹部Ｒ２よりも右端側の押圧部材３１の下面と、凹部Ｒ２よりも左端側の押圧部材３１の下面と、を分離するように、押圧部材３１の一方の側面から他方の側面に亘って形成されている。図４に表す例では、延在部３１ｃの一部が左右方向に延び、凹部Ｒ２は、当該一部の後方側の側面から前方側の側面に亘って形成されている。
【００４７】
図２および図５に表すように、ケースプレート４ａの上面には、凸部Ｐ１が形成されている。凸部Ｐ１は、ケースプレート４ａ上の水が外周から外に流れ出ないように、ケースプレート４ａの外周に沿って形成されている。凸部Ｐ１の一部は、押圧部材３１の摺動方向と垂直な方向に延在し、凸部Ｐ１の当該一部は、凹部Ｒ２の内側に配置されている。図５に表すように、凸部Ｐ１の熱交換器２０側（右側方）の側面Ｓ１と、凹部Ｒ２の外側（左側方）の側面Ｓ２と、は、押圧部材３１が左右方向に摺動できるように離間して配置されている。
【００４８】
ケースプレート４ａの上には、熱交換器２０に接続される水路が配され、熱交換器２０以外の部品も設けられる。従って、熱交換器２０以外の部品からもケースプレート４ａ上に水が流れうる。ケースプレート４ａ上に流れた水は、ケースプレート４ａの勾配に沿って中央前方に向かって流れる。このとき、水の一部が、凹部Ｒ１よりも左端側で押圧部材３１の下に流れ込み、押圧部材３１とケースプレート４ａとの間を操作部材３２に向かって流れる場合がある。
凹部Ｒ２が形成されていることで、凹部Ｒ１よりも左端側において押圧部材３１とケースプレート４ａとの間を移動する水の流れを、この凹部Ｒ２によって止めることができる。従って、ケースプレート４ａ上を流れる水が、押圧部材３１とケースプレート４ａとの間を伝って操作部材３２にまで流れ、衛生洗浄装置１から漏れ出ることを抑制できる。
【００４９】
また、ケースプレート４ａ上を流れる水は、ケースプレート４ａの外周に設けられた凸部Ｐ１によって遮られる。このため、凸部Ｐ１が形成された位置に凹部Ｒ２を配置する（すなわち、凹部Ｒ２内に凸部Ｐ１を配置する）ことで、凸部Ｐ１によって、凹部Ｒ２よりも操作部材３２側に水が流れることを抑制するとともに、凹部Ｒ２によって、凹部Ｒ２よりも熱交換器２０側において押圧部材３１の下面を流れる水の流れを遮ることができる。このため、衛生洗浄装置１内の水が、操作部材３２に流れ、衛生洗浄装置１から漏れ出ることを効果的に抑制できる。
【００５０】
より望ましくは、凸部Ｐ１の側面Ｓ１と凹部Ｒ２の側面Ｓ２との間の水平方向における距離Ｄ（図５に示す）は、押圧部材３１によって弁体２３が押圧された際の、弁体２３の可動距離よりも大きい。これは、弁体２３を押圧した際に、側面Ｓ１と側面Ｓ２とが接すると、側面Ｓ１と側面Ｓ２との間を表面張力によって水が移動し、操作部材３２を伝って衛生洗浄装置１の外に水が漏れる可能性が在るためである。
【００５１】
ケースプレート４ａ上には、ガイド部Ｇ１およびガイド部Ｇ２が設けられている。ガイド部Ｇ１およびＧ２は、前後方向に離間し、対向している。リブ３１ｂは、ガイド部Ｇ１とＧ２との間に配置され、ガイド部Ｇ１とＧ２との間を、左右方向に摺動する。
このように、押圧部材３１の摺動方向に直交する方向において、互いに対向するガイド部を設け、押圧部材３１の一部をこれらガイド部同士の間に配置することで、押圧部材３１が、所定の位置から摺動方向の直交方向にずれることを抑制できる。特に、リブ３１ｂは、当接部３１ａが弁体２３から反力を受けた際に当接部３１ａを支持する部分であり、押圧部材３１の他の部分に比べ、位置のずれが生じる可能性も高い。リブ３１ｂを、ガイド部Ｇ１とＧ２との間を摺動させることで、押圧部材３１の位置ずれを効果的に抑制することが可能である。
【００５２】
ケースプレート４ａ上には、さらにガイド部Ｇ３およびガイド部Ｇ４が設けられている。ガイド部Ｇ３およびＧ４は、ガイド部Ｇ１およびＧ２と同様に、前後方向に離間して対向している。延在部３１ｃは、ガイド部Ｇ３とガイド部Ｇ４との間を、左右方向に摺動する。
このように、複数対のガイド部をケースプレート４ａ上に設け、押圧部材３１がそれらガイド部同士の間を摺動することで、押圧部材３１が所定の位置からずれることをより一層抑制することができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ケーシング４や、熱交換器２０、操作レバー３０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１ 衛生洗浄装置、  ２ 便座、  ３ 便蓋、  ４ ケーシング、  ４ａ ケースプレート、  ４ｂ カバー、  ６ 便器、  ６ａ ボウル、  １０ ノズル、  １０ａ 吐水口、  ２０ 熱交換器、  ２１ 躯体、  ２２ ヒータ、  ２３ 弁体、  ２４ 弁座、  ２５ ばね受け部、  ２６ パッキン、  ３０ 操作レバー、  ３１ 押圧部材、  ３１ａ 当接部、  ３１ｂ リブ、  ３１ｃ 延在部、  ３２ 操作部材、  Ｃ 開口、  Ｇ１〜Ｇ４ ガイド部、  Ｐ１ 凸部、  Ｒ１、Ｒ２ 凹部、  Ｓ１、Ｓ２ 側面
【図１】
2018031200.tif 000003
【図２】
2018031200.tif 000004
【図３】
2018031200.tif 000005
【図４】
2018031200.tif 000006
【図５】
2018031200.tif 000007